(57)【要約】  吸収性物品（１）と、吸収性物品（１）を包装する包装材（３０）と、を有する吸収性物品包装体（４０）であって、吸収性物品（１）は、非肌側面において、ずれ止め用の粘着部（８、９）が配置された粘着部配置領域（Ａ１、Ａ２）を有し、吸収性物品包装体（４０）は、外側から視認可能な図柄（５１、５２）を有し、吸収性物品包装体（４０）の外側面における図柄（５１、５２）の最高光沢度は、粘着部配置領域（Ａ１、Ａ２）の最低光沢度以上であること。
2020095764.tif 000002
【特許請求の範囲】
【請求項１】
吸収性物品と、前記吸収性物品を包装する包装材と、を有する吸収性物品包装体であって、
前記吸収性物品は、非肌側面において、ずれ止め用の粘着部が配置された粘着部配置領域を有し、
前記吸収性物品包装体は、外側から視認可能な図柄を有し、
前記吸収性物品包装体の外側面における前記図柄の最高光沢度は、前記粘着部配置領域の最低光沢度以上であること
を特徴とする吸収性物品包装体。
【請求項２】
請求項１に記載の吸収性物品包装体であって、
前記吸収性物品は、吸収体と、前記吸収体よりも肌側に配置された液透過性の表面シートと、を有し、
前記吸収性物品の肌側面において前記表面シートが露出している領域の最低光沢度と、前記吸収性物品の非肌側面において前記粘着部配置領域以外の領域の最低光沢度と、のうちの少なくとも一方は、４以下であることを特徴とする吸収性物品包装体。
【請求項３】
請求項１又は２に記載の吸収性物品包装体であって、
前記吸収性物品の非肌側面の半分以上の面積の領域が白色であり、
前記包装材も白色であることを特徴とする吸収性物品包装体。
【請求項４】
請求項１から３の何れか１項に記載の吸収性物品包装体であって、
開封端を止着する止着テープを有し、
前記図柄は、前記吸収性物品包装体の第１面に設けられた第１図柄と、前記吸収性物品包装体の第２面に設けられた第２図柄と、を有し、
前記第１図柄の最高光沢度、及び、前記第２図柄の最高光沢度は、前記粘着部配置領域の最低光沢度以上であり、
前記第１図柄の面積、及び、前記第２図柄の面積は、前記止着テープの面積よりも大きいことを特徴とする吸収性物品包装体。
【請求項５】
請求項４に記載の吸収性物品包装体であって、
前記吸収性物品包装体は、前記開封端が展開された状態で視認可能な内部図柄を有し、
前記内部図柄の最高光沢度は、前記粘着部配置領域の最低光沢度以上であることを特徴とする吸収性物品包装体。
【請求項６】
請求項５に記載の吸収性物品包装体であって、
前記第２面に前記開封端が設けられており、
前記第２図柄の面積は、前記第１図柄の面積よりも小さく、
前記内部図柄の面積は、前記第２図柄の面積よりも小さいことを特徴とする吸収性物品包装体。
【請求項７】
請求項１から６の何れか１項に記載の吸収性物品包装体であって、
開封端に沿う幅方向を有し、
前記幅方向において、前記図柄の幅は、前記包装材に包装されている状態の前記吸収性物品の幅以下であることを特徴とする吸収性物品包装体。
【請求項８】
請求項７に記載の吸収性物品包装体であって、
前記幅方向における前記包装材の両側端部を接合している一対の接合部と、
前記吸収性物品包装体の外側から視認可能な背景図柄と、を有し、
前記背景図柄の最高光沢度は、前記粘着部配置領域の最低光沢度以上であり、
前記幅方向における前記接合部と前記吸収性物品との間に、前記背景図柄が配置されていることを特徴とする吸収性物品包装体。
【請求項９】
請求項１から８の何れか１項に記載の吸収性物品包装体であって、
前記図柄は、金属粒子を有するインクで印刷されていることを特徴とする吸収性物品包装体。
【請求項１０】
請求項１から９の何れか１項に記載の吸収性物品包装体であって、
前記吸収性物品は、吸収体と、前記吸収体よりも肌側に配置された液透過性の表面シートと、を有し、
前記表面シートは、前記表面シートの全質量に対して５０質量％以上の綿繊維を含むことを特徴とする吸収性物品包装体。
【請求項１１】
請求項１から１０の何れか１項に記載の吸収性物品包装体を内包する吸収性物品包装体のパッケージであって、
前記図柄の最高光沢度が異なる複数種類の前記吸収性物品包装体を内包することを特徴とする吸収性物品包装体のパッケージ。
【発明の詳細な説明】
【技術分野】
【０００１】
本発明は、吸収性物品包装体、及び、吸収性物品包装体のパッケージに関する。
【背景技術】
【０００２】
吸収性物品として、生理用ナプキン、パンティーライナー、及び吸収パッド等がある。特許文献１に開示された吸収性物品のように、着用者の肌に直接触れるトップシートにコットン繊維を用いて肌触りを向上させることが知られている。このように、吸収性物品の肌触りが良かったり、吸収性物品に天然の安全な素材を使用したりすることで、吸収性物品の高級感が高まる。
【先行技術文献】
【特許文献】
【０００３】
【特許文献１】特開２０１７−２０５１４３号
【発明の概要】
【発明が解決しようとする課題】
【０００４】
吸収性物品のユーザーは、吸収性物品を包装材で包装した吸収性物品包装体を持ち運ぶことが多い。そのため、吸収性物品包装体は、中身が吸収性物品であると分かり難い外観であることが望まれる。また、吸収性物品は身体に直接身に付けるものである。そのため、特許文献１の吸収性物品のような高級感のある商品がユーザーに好まれる。よって、吸収性物品包装体の外観から、吸収性物品が高級感のある商品であることをユーザーに認識してもらうことが重要となる。【０００５】
本発明は、上記のような従来の問題に鑑みてなされたものであって、その目的は、中身が吸収性物品であると分かり難い外観であり、かつ、吸収性物品が高級感のある商品であることをユーザーに認識してもらえる外観である吸収性物品包装体を提供すること。
【課題を解決するための手段】
【０００６】
上記目的を達成するための主たる発明は、吸収性物品と、前記吸収性物品を包装する包装材と、を有する吸収性物品包装体であって、前記吸収性物品は、非肌側面において、ずれ止め用の粘着部が配置された粘着部配置領域を有し、前記吸収性物品包装体は、外側から視認可能な図柄を有し、前記吸収性物品包装体の外側面における前記図柄の最高光沢度は、前記粘着部配置領域の最低光沢度以上であることを特徴とする吸収性物品包装体である。
本発明の他の特徴については、本明細書及び添付図面の記載により明らかにする。
【発明の効果】
【０００７】
本発明によれば、中身が吸収性物品であると分かり難い外観であり、かつ、吸収性物品が高級感のある商品であることをユーザーに認識してもらえる外観である吸収性物品包装体を提供することができる。
【図面の簡単な説明】
【０００８】
【図１】生理用ナプキン１を肌側から見た平面図である。
【図２】ナプキン１を非肌側から見た平面図である。
【図３】ナプキン１の概略断面図である。
【図４】包装材３０の外側面を示す図である。
【図５】図５Ａは吸収性物品包装体４０の開封面４０Ａを示す図であり、図５Ｂは吸収性物品包装体４０の反開封面４０Ｂを示す図である。
【図６】第１折り部Ｆ１が展開された吸収性物品包装体４０を示す図である。
【図７】図６から第２折り部Ｆ２が展開された吸収性物品包装体４０を示す図である。
【図８】実施例１〜３及び比較例１〜３の評価結果を示す表である。
【図９】主要メタリック図柄５１の幅の説明図である。
【図１０】図１０Ａは吸収性物品包装体４０のパッケージ６０の斜視図であり、図１０Ｂ及び図１０Ｃはパッケージ６０が有する吸収性物品包装体の主要メタリック図柄の説明図である。
【発明を実施するための形態】
【０００９】
本明細書及び添付図面の記載により、少なくとも以下の事項が明らかとなる。
吸収性物品と、前記吸収性物品を包装する包装材と、を有する吸収性物品包装体であって、前記吸収性物品は、非肌側面において、ずれ止め用の粘着部が配置された粘着部配置領域を有し、前記吸収性物品包装体は、外側から視認可能な図柄を有し、前記吸収性物品包装体の外側面における前記図柄の最高光沢度は、前記粘着部配置領域の最低光沢度以上であることを特徴とする吸収性物品包装体である。
【００１０】
このような吸収性物品包装体によれば、光沢度の高い図柄（きらきらと輝く図柄）によって、中身が吸収性物品であると分かり難い外観となり、ユーザーは、吸収性物品包装体を持ち運びやすくなる。また、吸収性物品が高級感のある商品であることをユーザーに認識してもらえる外観となり、ユーザーは吸収性物品を安心して使用できる。
【００１１】
かかる吸収性物品包装体であって、前記吸収性物品は、吸収体と、前記吸収体よりも肌側に配置された液透過性の表面シートと、を有し、前記吸収性物品の肌側面において前記表面シートが露出している領域の最低光沢度と、前記吸収性物品の非肌側面において前記粘着部配置領域以外の領域の最低光沢度と、のうちの少なくとも一方は、４以下であることを特徴とする吸収性物品包装体である。
【００１２】
このような吸収性物品包装体によれば、吸収性物品の光沢度が低いことで、吸収性物品は衛生用品らしい自然な印象、清潔感（清涼感）のある印象となる。特に、吸収性物品包装体の外側から視認可能な光沢度の高い図柄と比較して吸収性物品が視認されることで、ユーザーは、吸収性物品に対して、自然な印象、清潔感のある印象をより受けやすくなる。そのため、ユーザーは吸収性物品を安心して使用できる。
【００１３】
かかる吸収性物品包装体であって、前記吸収性物品の非肌側面の半分以上の面積の領域が白色であり、前記包装材も白色であることを特徴とする吸収性物品包装体である。
【００１４】
このような吸収性物品包装体によれば、包装材の外側から吸収性物品が視認され難く、中身が吸収性物品であると分かり難い外観となる。
【００１５】
かかる吸収性物品包装体であって、開封端を止着する止着テープを有し、前記図柄は、前記吸収性物品包装体の第１面に設けられた第１図柄と、前記吸収性物品包装体の第２面に設けられた第２図柄と、を有し、前記第１図柄の最高光沢度、及び、前記第２図柄の最高光沢度は、前記粘着部配置領域の最低光沢度以上であり、前記第１図柄の面積、及び、前記第２図柄の面積は、前記止着テープの面積よりも大きいことを特徴とする吸収性物品包装体である。
【００１６】
このような吸収性物品包装体によれば、図柄が目立ち、ユーザーに着目されやすくなる。また、光沢度の高い複数の図柄をユーザーが視認することで、図柄から想起される吸収性物品の高級感がユーザーに認識されやすくなる。
【００１７】
かかる吸収性物品包装体であって、前記吸収性物品包装体は、前記開封端が展開された状態で視認可能な内部図柄を有し、前記内部図柄の最高光沢度は、前記粘着部配置領域の最低光沢度以上であることを特徴とする吸収性物品包装体である。
【００１８】
このような吸収性物品包装体によれば、光沢度の高い複数の図柄をユーザーが視認することで、図柄から想起される吸収性物品の高級感がユーザーに認識されやすくなる。
【００１９】
かかる吸収性物品包装体であって、前記第２面に前記開封端が設けられており、前記第２図柄の面積は、前記第１図柄の面積よりも小さく、前記内部図柄の面積は、前記第２図柄の面積よりも小さいことを特徴とする吸収性物品包装体である。
【００２０】
このような吸収性物品包装体によれば、吸収性物品包装体を開封する順にしたがって、光沢度の高い図柄が小さくなり、ユーザーの意識が光沢度の低い吸収性物品に移りやすくなる。そのため、ユーザーは、吸収性物品に対して、衛生用品らしい自然な印象、清潔感のある印象を持ちやすくなる。
【００２１】
かかる吸収性物品包装体であって、開封端に沿う幅方向を有し、前記幅方向において、前記図柄の幅は、前記包装材に包装されている状態の前記吸収性物品の幅以下であることを特徴とする吸収性物品包装体である。
【００２２】
このような吸収性物品包装体によれば、包装材の内側の吸収性物品上の平坦な部分に、図柄を配置でき、図柄の視認性が高まる。
【００２３】
かかる吸収性物品包装体であって、前記幅方向における前記包装材の両側端部を接合している一対の接合部と、前記吸収性物品包装体の外側から視認可能な背景図柄と、を有し、前記背景図柄の最高光沢度は、前記粘着部配置領域の最低光沢度以上であり、前記幅方向における前記接合部と前記吸収性物品との間に、前記背景図柄が配置されていることを特徴とする吸収性物品包装体である。
【００２４】
このような吸収性物品包装体によれば、光沢度の高い図柄の種類が増えるため、図柄から想起される吸収性物品の高級感がユーザーに認識されやすくなる。
【００２５】
かかる吸収性物品包装体であって、前記図柄は、金属粒子を有するインクで印刷されていることを特徴とする吸収性物品包装体である。
【００２６】
このような吸収性物品包装体によれば、図柄の光沢度を高くすることができる。
【００２７】
かかる吸収性物品包装体であって、前記吸収性物品は、吸収体と、前記吸収体よりも肌側に配置された液透過性の表面シートと、を有し、前記表面シートは、前記表面シートの全質量に対して５０質量％以上の綿繊維を含むことを特徴とする吸収性物品包装体である。
【００２８】
このような吸収性物品包装体によれば、表面シートの光沢度を低くすることができる。
【００２９】
かかる吸収性物品包装体を内包する吸収性物品包装体のパッケージであって、前記図柄の最高光沢度が異なる複数種類の前記吸収性物品包装体を内包することを特徴とする吸収性物品包装体のパッケージである。
【００３０】
このような吸収性物品包装体のパッケージによれば、複数種類の吸収性物品包装体が内包されていることで、ユーザーは吸収性物品が高級感のある商品である印象を受けやすくなる。また、吸収性物品包装体を選択する楽しみが増え、生理期等の憂鬱な気分を軽減できる。
【００３１】
＝＝＝実施形態＝＝＝
以下、本発明に係る吸収性物品として生理用ナプキンを例に挙げて実施形態を説明する。ただし、吸収性物品は包装材に内包されるものであり、使用者の着衣に固定して使用する吸収性物品であればよく、パンティーライナーや吸収パッド（軽失禁用パッド）等の吸収性物品であってもよい。
【００３２】
＜＜生理用ナプキン１の基本構成＞＞
図１は、生理用ナプキン１（以下「ナプキン」という）を肌側から見た平面図である。図２は、ナプキン１を非肌側から見た平面図である。図３は、ナプキン１の概略断面図である。
【００３３】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。ナプキン１は、長手方向の中央部から幅方向の両外側に延出した一対のウィング部１ｗを有している。
【００３４】
また、ナプキン１の幅方向の中央部には、表面シート２、中間シート３、吸収体１０、バックシート４、ウィングシート５、及びサイドシート６を有している。厚さ方向の肌側から順に、表面シート２、中間シート３、吸収体１０及びバックシート４が積層されており、サイドシート６は、表面シート２の肌側面の幅方向の端部から吸収体１０の非肌側面の幅方向の端部に亘って配置されている。つまり、サイドシート６は、それぞれ各部材２、３、１０を厚さ方向に挟むように配置されている。表面シート２、中間シート３、吸収体１０、バックシート４、ウィングシート５、及びサイドシート６はそれぞれホットメルト接着剤等の接着剤（不図示）を用いて接合固定されている。
【００３５】
表面シート２は、液透過性のシート部材であり、綿のシートを例示できる。１００％の綿からなるシート部材に限らず、例えば、綿とエアスルー不織布の混合シートであってもよい。表面シート２は、着用中において着用者の肌に直接接触する部分である。そのため、表面シート２に天然繊維である綿を用いることで、着用者の肌への刺激を軽減し、着用者の肌に痒みやかぶれ等が起こる恐れを軽減できる。また、表面シート２を面のシートにすることで、視覚的にも、柔らかそうな印象となる。ただし、表面シート２は、綿のシートでなくてもよい。
【００３６】
中間シート３は、液透過性のシート部材であり、エアスルー不織布、スパンボンド不織布等を例示できる。ウィングシート５及びサイドシート６は、それぞれ疎水性のシート部材であり、エアスルー不織布、スパンボンド不織布等を例示できる。バックシート４は、液不透過性のシート部材であり、ポリエチレン（ＰＥ）の樹脂フィルム等を例示できる。バックシート４は、平面サイズが吸収体１０よりも大きく、吸収体１０の平面全体を覆っている。なお、ナプキン１は中間シート３を有していなくてもよい。
【００３７】
ウィング部１ｗは、吸収体１０よりも非肌側において、表面シート２等の幅方向の両側部から外側に延出しているウィングシート５及びバックシート４によって形成されている。
【００３８】
吸収体１０は、排泄物を吸収して内部に保持する部材である。図３に示すように、吸収体１０は、吸収性コア１１と、吸収性コア１１を覆うカバーシート１２とを有している。吸収性コア１１は、液体吸収性繊維であるパルプ繊維やセルロース系吸収性繊維等に、液体吸収性粒状物である高吸収性ポリマー（所謂ＳＡＰ）等が加えられ、所定の形状に成形されたものである。カバーシート１２は、液透過性のシートであり、ティッシュ等を例示できる。
【００３９】
ナプキン１は、非肌側面（つまり、バックシート４の非肌側面）において、接着剤が塗布される等した中央粘着部８（ずれ止め用の粘着部）が配置されている。中央粘着部８は、図２では長手方向に長辺を有する長方形状の１１個の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００４０】
同様に、各ウィング部１ｗは、非肌側面（バックシート４の非肌側面）において、接着剤が塗布される等したウィング粘着部９（ずれ止め用の粘着部）が配置されている。ウィング粘着部９は、図２では長手方向に長辺を有する長方形状の４個のウィング粘着部９が幅方向に間隔を空けて配置されているが、ウィング粘着部９の形状、数、及び配置はこれに限られない。ナプキン１の使用時にウィング部１ｗは非肌側に折り曲げられ、ウィング粘着部９は、下着等の非肌側面に張り付けられる。これにより、ウィング部１ｗは下着等に固定される。ただし、ウィング部１ｗ及びウィング粘着部９を有さないナプキン１であってもよい。
【００４１】
また、ナプキン１は、厚さ方向に窪んだ線状圧縮凹部２０を有している。線状圧縮凹部２０は、複数の点状圧縮凹部２１が間隔を空けて線状に並ぶことにより構成されており、全体として長手方向に長い略環状を成している。点状圧縮凹部２１では、表面シート２の肌側面側から表面シート２、中間シート３、及び吸収体１０（一部又は全部）が厚さ方向に圧縮されており、各部材２、３、１０が接合一体化されている。
【００４２】
ただし、上記に限定されず、線状圧縮凹部２０は、吸収体１０のみが圧縮されていてもよいし、吸収体１０よりも肌側に位置する表面シート２及び中間シート３のみが圧縮されていてもよいし、吸収体１０等がバックシート４側から圧縮されていてもよい。また、線状圧縮凹部２０は、連続した溝状の凹部であってもよい。
【００４３】
また、線状圧縮凹部２０（点状圧縮凹部２１）では、周囲に比べてナプキン１の厚みが薄く、ナプキン１の繊維密度が高くなっている。これらの比較は周知の方法で行うとよい。ナプキン１の厚みの比較としては、目視で比較する方法や、ミツトヨ（株）製のダイアルシックネスゲージＩＤ−Ｃ１０１２Ｃ又はそれと同等のものを使用し、対象部位を例えば
３．０ｇｆ／ｃｍ2で加圧して測定した値を取得して比較する方法を例示できる。ナプキン１の密度の比較としては、ナプキン１を厚さ方向に切った断面を電子顕微鏡等で拡大した画像に基づき比較する方法を例示できる。
【００４４】
＜＜包装材３０について＞＞
図４は、包装材３０の外側面を示す図である。すなわち、ナプキン１を包装材３０で包装した吸収性物品包装体４０（後述）の外側から視認される面を示す図である。
【００４５】
包装材３０は、長方形状であるシート状の部材であり、長手方向及び幅方向を有する。包装材３０は、樹脂製フィルム、不織布、紙、及びこれらをラミネートにより複合したもの等を例示できる。
【００４６】
吸収性物品包装体４０において、包装材３０の長手方向の一方側の端３０ａが他方側の端３０ｂよりも外側に位置するように、包装材３０は折り畳まれる。すなわち、包装材３０の長手方向の一方側の端（幅方向に沿う端）が開封端３０ａとなる。包装材３０の長手方向の一方側の端部には、包装材３０の開封端３０ａを止着する止着テープ３１が設けられている。止着テープ３１は、その一部が包装材３０の長手方向の外側に延出するように、包装材３０の外側面に接着剤等で固定されている。なお、包装材３０に止着テープ３１が設けられていなくてもよい。
【００４７】
＜＜吸収性物品包装体４０について＞＞
図５Ａは、吸収性物品包装体４０の開封面４０Ａを示す図であり、図５Ｂは、吸収性物品包装体４０の反開封面４０Ｂを示す図である。図６は、第１折り部Ｆ１が展開された吸収性物品包装体４０を示す図である。図７は、図６から第２折り部Ｆ２が展開された吸収性物品包装体４０を示す図である。
【００４８】
吸収性物品包装体４０は、包装材３０によってナプキン１が個別に包装されたものである。吸収性物品包装体４０では、図７に示すように、包装材３０の内側面上に、ナプキン１がその肌側面を上にして配置されている。包装材３０の長手方向がナプキン１の長手方向に沿い、包装材３０の幅方向がナプキン１の幅方向に沿っている。また、包装材３０の開封端３０ａ側が、ナプキン１の前側に対応している。
【００４９】
本実施形態の吸収性物品包装体４０では、包装材３０が、ナプキン１と共にナプキン１の肌側面を内側にし、幅方向に沿う２つの折り部Ｆ１，Ｆ２において、折り畳まれている。説明のため、長手方向の最も一方側（開封端３０ａ側）の折り部を第１折り部Ｆ１といい、第１折り部Ｆ１よりも長手方向の他方側の折り部を第２折り部Ｆ２という。
【００５０】
なお、折り部の数は２つに限らず、１つでも３つ以上であってもよい。また、幅方向に沿う折り部だけでなく、長手方向に沿う折り部において、包装材３０が折り畳まれていてもよい。また、包装材３０とナプキン１が個別に折り畳まれていてもよい。すなわち折り畳まれているナプキン１を内包するように、包装材３０が折り畳まれていてもよい。
【００５１】
また、吸収性物品包装体４０では、図５Ａ及び図５Ｂに示すように、包装材３０の幅方向の両側端部が接合されて、一対の接合部４１が形成されている。接合部４１における接合方法は、ヒートシール、超音波シール、接着剤、これらの組み合わせ等、周知の接合方法を例示できる。
【００５２】
ユーザーに止着テープ３１が把持されて、第１折り部Ｆ１での折りが展開されると、図６の状態になる。更に、第２折り部Ｆ２での折りが展開されると、図７の状態となる。ナプキン１は、ウィング部１ｗが幅方向の内側に折り返された状態で、包装材３０の内側面上に配置されている。ウィング粘着部９上には剥離シート４２が配置される。この剥離シート４２は、包装材３０と分離可能であり、図７の展開状態でユーザーが剥離する形態であってもよいし、包装材３０に接合されており、吸収性物品包装体４０の展開時に剥離される形態（不図示）であってもよい。また、包装材３０の内側面には、ナプキン１の中央粘着部８と対向する部分において、剥離シート（不図示）が設けられており、ナプキン１は剥離シートを介して包装材３０の内側面上に配置されている。
【００５３】
＝＝＝吸収性物品包装体４０の図柄について＝＝＝
図８は、実施例１〜３及び比較例１〜３の評価結果を示す表である。図９は、主要メタリック図柄５１の幅の説明図である。
【００５４】
ナプキン１等の吸収性物品は、一般的に、不織布や樹脂フィルム等で構成されており、吸収性物品の光沢度は低い。また、吸収性物品は衛生用品であるため、吸収性物品、及び吸収性物品を包装する吸収性物品包装体の光沢度は低いという印象を、ユーザーに持たれている。
【００５５】
そこで、本実施形態の吸収性物品包装体４０は、図５Ａ及び図５Ｂに示すように、光沢度の高い主要メタリック図柄５１、５２（きらきらと輝く図柄）を有するとする。また、主要メタリック図柄５１、５２は、吸収性物品包装体４０の外側から視認可能とする。
【００５６】
ナプキン１において光沢度の高い部位は、図２に示すように、ずれ止め用の粘着部（中央粘着部８及びウィング粘着部９）が配置された粘着部配置領域Ａ１、Ａ２である。そこで、主要メタリック図柄５１、５２の最高光沢度は、粘着部配置領域Ａ１、Ａ２の最低光沢度以上であるとする。なお、主要メタリック図柄５１、５２の光沢度は、吸収性物品包装体４０の外側面における光沢度であり、粘着部配置領域Ａ１〜Ａ３の光沢度は、ナプキン１の非肌側面における光沢度である。
【００５７】
このように、ナプキン１における光沢度の高い部位（Ａ１、Ａ２）以上の光沢度である主要メタリック図柄５１、５２を吸収性物品包装体４０に設けることで、本実施形態の吸収性物品包装体４０は、吸収性物品包装体らしくない外観となる。そのため、中身がナプキン１であると分かり難い外観となり、ユーザーは吸収性物品包装体４０を持ち運びやすくなる。
【００５８】
また、ナプキン１は身体に直接身に付けるものであるため、高級感のある商品がユーザーに望まれる。例えば、本実施形態のナプキン１では、表面シート２を綿のシートにすることで、ナプキン１の肌触りを良くしている。このように、天然の安全な素材を使用したり、ナプキン１の肌触りを良くしたりすることで、ナプキン１の高級感を高めることができる。
【００５９】
このような場合、吸収性物品包装体４０に主要メタリック図柄５１、５２が設けられていることで、中身のナプキン１が高級感のある商品であることをユーザーに認識してもらうことができる。その結果、ユーザーにナプキン１を安心して使用してもらうことができる。
【００６０】
また、吸収性物品包装体４０に主要メタリック図柄５１、５２が設けられていることで、薄暗い場所でも、吸収性物品包装体４０が目立ちやすくなる。そのため、鞄やポーチの中から吸収性物品包装体４０を直ぐに取り出したり、トイレ内に保管されている吸収性物品包装体４０を直ぐに見つけ出したりすることができる。
【００６１】
また、本実施形態の主要メタリック図柄５１、５２は、金属粒子を有するメタリックインクで印刷されている。これにより、主要メタリック図柄５１、５２の光沢度を高めることができ、主要メタリック図柄５１、５２を、きらきらと輝く図柄にすることができる。
【００６２】
メタリックインクとは、具体的には、１〜１５０μｍ程度の粒径の金属粒子（アルミ粒子や銅粒子等）を含有するインクである。電子顕微鏡で主要メタリック図柄５１、５２の印刷面を拡大観察することで、金属粒子が含まれていることを確認できる。
【００６３】
また、本実施形態の主要メタリック図柄５１、５２は、包装材３０の外側面に設けられている。そのため、その他の場所（包装材３０の内側面や、ナプキン１のバックシート４や、包装材３０とナプキン１の間の剥離シート等）に主要メタリック図柄５１、５２が設けられ、包装材３０を透かして主要メタリック図柄５１、５２が視認される場合に比べて、吸収性物品包装体４０の外側面における主要メタリック図柄５１、５２の光沢度を高めることができる。
【００６４】
なお、本実施形態では、主要メタリック図柄５１、５２（図柄）として、ナプキン１の素材である綿を表す図柄を例示しているが、図柄の形、大きさ、色等は、特に限定されない。また、包装材３０が有する全ての図柄が光沢度の高い図柄（メタリックインクによる図柄）であってもよいし、包装材３０が有する一部の図柄が光沢度の低い図柄であってもよい。
【００６５】
また、粘着部配置領域Ａ１とは、図２に示すように、中央粘着部８の長手方向の前端における幅方向の一端（ａ１）及び他端（ａ２）と、長手方向の後端における幅方向の一端（ａ３）及び他端（ａ４）とで囲われた領域である。また、ナプキン１がウィング部１ｗを有する場合、ウィング粘着部９の長手方向の前端における幅方向の一端（ｂ１）及び他端（ｂ２）と、長手方向の後端における幅方向の一端（ｂ３）及び他端（ｂ４）とで囲われた粘着部領域Ａ２も、ナプキン１は有することになる。
【００６６】
また、主要メタリック図柄５１、５２と粘着部配置領域Ａ１、Ａ２の光沢度の比較（測定）は周知の方法で行うとよい。例えば、ＩＴＥＣＨ社のＭＮ  ＧＬＯＳＳＭＥＴＥＲ（光沢度計）を用いて、測定角度６０°での鏡面光沢度を測定し、比較することができる。以下に説明する他の部位の光沢度についても同様に測定できる。
【００６７】
具体的には、まず、較正用標準板（屈折率１．５６７の黒色板）を用いて、光沢度計の較正を行う。
次に、較正用標準板の上に、皺が発生していないように平らにサンプルを置く。主要メタリック図柄５１、５２の測定は、吸収性物品包装体４０の外側面を上にして行う。また、図５Ａや図５Ｂに示すように吸収性物品包装体４０の形態（すなわち、包装材３０がナプキン１を内包して折り畳まれている状態）で測定することが好ましい。粘着部配置領域Ａ１、Ａ２の測定は、ナプキン１の非肌側面を上にして行う。また、図２に示すように、ナプキン１が展開している状態で測定することが好ましい。
次に、サンプルの上に光沢度計を置き、入射角が６０°の光源でサンプルを照射し、サンプルから反射した反射光を光検出器により６０°の受光角で受光する。この時の反射光の強さ（光沢度計の測定結果）を、サンプルの光沢度（Ｇｓ）として記録する。なお、同一の測定箇所につき、複数回（例えばＮ＝１０）の測定を行い、その最大値（又は平均値や最小値）を、その測定箇所の光沢度とする。
【００６８】
また、サンプルにおける測定箇所によって、光沢度（測定結果）が異なる。メタリック図柄５１、５２の場合、メタリック印刷が施されている部分（メタリックインクが塗布されている部分）が大きいほど、光沢度が高くなる。そのため、主要メタリック図柄５１、５２のうち、メタリック印刷の面積（塗りつぶしの面積）が大きい箇所、例えば、図５Ａの位置Ｂ１や図５Ｂの位置Ｂ２を、測定箇所として複数選択する。また、メタリック印刷の面積が大きい箇所を測定中心として測定する。そして、選択した複数の測定箇所の各光沢度の中の最大値を「主要メタリック図柄の最高光沢度」とする。ただし、主要メタリック図柄５１、５２が小さかったり、メタリック印刷の面積が小さかったりと、光沢度計の視野角内におけるメタリック印刷の部分の割合が６０％未満である場合には、包装材３０から主要メタリック図柄５１、５２を切り貼りして、メタリック印刷の部分を集める。そして、光沢度計の視野角内におけるメタリック印刷の部分の割合を６０％以上にして測定する。
【００６９】
同様に、粘着部配置領域Ａ１、Ａ２の場合、接着剤が塗布されている部分が大きいほど、光沢度が高くなる。そのため、粘着部配置領域Ａ１、Ａ２のうち、接着剤の塗布間隔が広い箇所を、測定箇所として複数選択する（図２では同一間隔で塗布されているため適当な箇所を複数選択する）。そして、選択した複数の測定箇所の各光沢度の中の最小値を「粘着部配置領域の最低光沢度」とする。ただし、光沢度計の視野角内における接着剤の塗布部分の割合が６０％未満である場合には、ナプキン１から接着剤の塗布部分を切り貼りして、接着剤の塗布部分を集める。そして、光沢度計の視野角内における接着剤の塗布部分の割合を６０％以上にして測定する。
【００７０】
また、図８の表に示すように、実施例１〜３及び比較例１〜３の吸収性物品包装体４０を準備して、包装材３０の図柄、ナプキン１の表面シート２、及び、バックシート４の光沢度を実際に測定した。また、ナプキン１に対する印象（高級感、及び、自然さ）についても評価した。
【００７１】
ナプキン１の表面シート２の光沢度については、図１に示すように、ナプキン１の肌側面において表面シート２が肌側に露出している領域（点ｃ１、ｃ２、ｃ３、ｃ４で囲われている領域）を測定した。ナプキン１のバックシート４の光沢度については、ナプキン１の非肌側面において粘着部配置領域Ａ１、Ａ２以外の領域を測定した。
【００７２】
光沢度の測定方法は前述の方法と同じである。
包装材３０の図柄については、複数の測定箇所の各光沢度の中の最大値（最高光沢度）を図８の表に記した。
表面シート２については、肌側面を上にしたナプキン１の上に光沢度計を置き、表面シート２の複数箇所の光沢度を測定した。複数の測定箇所の各光沢度の中の最小値（最低光沢度）を図８の表に記した。
バックシート４については、非肌側面を上にしたナプキン１の上に光沢度計を置き、バックシート４（接着剤が塗布されていない領域）の複数箇所の光沢度を測定した。複数の測定箇所の各光沢度の中の最小値（最低光沢度）を図８の表に記した。
【００７３】
高級感の評価方法は、被験者（女性３０名）が、実施例１〜３及び比較例１〜３の吸収性物品包装体４０の図柄を実際に見て評価した。吸収性物品包装体４０の図柄を見て、中身のナプキン１が高級感のある商品である印象や品質が高い印象を受ける場合には「○」、どちらともいえない場合には「△」、ナプキン１が高級感のある商品である印象や品質が高い印象を受けない場合には「×」と、３段階で評価してもらった。６０％以上の被験者が選んだ評価を図８の表に記した。
【００７４】
自然な印象の評価方法は、被験者（女性３０名）が、実施例１〜３及び比較例１〜３のナプキン１を実際に見て評価した。ナプキン１に対して、科学的ではなく自然な印象や清潔感のある印象を受ける場合には「○」、どちらともいえない場合には「△」、自然な印象や清潔感のある印象を受けない場合には「×」と、３段階で評価してもらった。６０％以上の被験者が選んだ評価を図８の表に記した。
【００７５】
実施例１の吸収性物品包装体４０は、外側から視認可能な、「黄色」のメタリックインクで印刷された図柄を有する。実施例１のナプキン１の表面シート２は、繊度２．３ｄｔｅｘ、ＰＰ（ポリプロピレン）／ＰＰの芯鞘型複合繊維から構成されたスパンボンド不織布とした。
【００７６】
実施例２の吸収性物品包装体４０は、外側から視認可能な、「ピンク色」のメタリックインクで印刷された図柄を有する。実施例２のナプキン１の表面シート２は、繊度３．６ｄｔｅｘ、ＰＥ（ポリエチレン）／ＰＰの芯鞘型複合繊維から構成されたエアスルー不織布とした。
【００７７】
実施例３の吸収性物品包装体４０は、外側から視認可能な、「銀色」のメタリックインクで印刷された図柄を有する。実施例３のナプキン１の表面シート２は、綿１００％のスパンレース不織布とした。
【００７８】
比較例１の吸収性物品包装体４０は、外側から視認可能な、金属粒子を含有しないインクで印刷された「黄色」の図柄を有する。比較例１のナプキン１の表面シート２は、綿１００％のスパンレース不織布とした。
【００７９】
比較例２の吸収性物品包装体４０は、外側から視認可能な、金属粒子を含有しないインクで印刷された「ピンク色」の図柄を有する。比較例２のナプキン１の表面シート２は、繊度３．６ｄｔｅｘ、ＰＥ／ＰＰの芯鞘型複合繊維から構成されたエアスルー不織布とした。
【００８０】
比較例３の吸収性物品包装体４０は、外側から視認可能な、「黄色」のメタリックインクで印刷された図柄を有する。比較例３のナプキン１の表面シート２は、繊度１．８ｄｔｅｘ、ＰＥ／ＰＰの芯鞘型複合繊維から構成されたエアスルー不織布とした。
【００８１】
実施例１〜３及び比較例１〜３のバックシート４は、白色のＰＥ（ポリエチレン）樹脂フィルムであり、光沢度の異なるフィルムとした。
【００８２】
図８の結果から、吸収性物品包装体４０の図柄の光沢度（最高光沢度）が「８」以上であると、ナプキン１が高級感のある商品であり品質が高いという印象を、ユーザーが持ちやすいことが分かった。よって、吸収性物品包装体４０の図柄の光沢度を８以上にすることが好ましい。
【００８３】
また、図８の表には示さないが、図２に示す粘着部配置領域Ａ１、Ａ２において、粘着部配置領域Ａ１、Ａ２の最低光沢度を測定した結果、「６」であった。この点からも、吸収性物品包装体４０の図柄の光沢度を、粘着部配置領域Ａ１、Ａ２の光沢度以上にすることで、中身のナプキン１が高級感のある商品である印象をユーザーに付与できるといえる。
【００８４】
また、図８の結果から、表面シート２及びバックシート４の最低光沢度が４よりも大きい比較例３では、ナプキン１に対して自然な印象や清潔感のある印象を受け難いことが分かった。また、実施例１〜３のように、吸収性物品包装体４０が光沢度の高い図柄を有していても、ナプキン１の光沢度が低ければ、ナプキン１に対して自然な印象や清潔感のある印象を受けやすいことが分かった。
【００８５】
そこで、ナプキン１の肌側面において表面シート２が露出している領域（図１のｃ１、ｃ２、ｃ３、ｃ４で囲われる領域）の最低光沢度と、ナプキン１の非肌側面において粘着部配置領域Ａ１、Ａ２以外の領域の最低光沢度と、のうちの少なくとも一方を、４以下にするとよい。
【００８６】
より好ましくは、ナプキン１の肌側面において表面シート２が露出している領域の全域に亘る光沢度（すなわち最高光沢度）と、ナプキン１の非肌側面において粘着部配置領域Ａ１、Ａ２以外の領域の全域に亘る光沢度（すなわち最高光沢度）とを、４以下にすることが好ましい。
【００８７】
そうすることで、ナプキン１の外観の輝きを抑えることができ、ナプキン１は衛生用品らしい自然な印象、清潔感（清涼感）のある印象となる。特に、ナプキン１が、主要メタリック図柄５１、５２と比較して視認されることで、ユーザーは、ナプキン１に対して、自然な印象、清潔感のある印象をより受けやすくなる。よって、ユーザーに安心してナプキン１を使用してもらうことができる。また、吸収性物品包装体４０の主要メタリック図柄５１、５２とナプキン１の光沢度との差が大きくなる。そのため、主要メタリック図柄５１、５２の高い光沢度から想起される高級感と、ナプキン１の低い光沢度から想起される清潔感とが、共に引き立つ。よって、ユーザーは、ナプキン１の高級感及び清潔感をより認識しやすくなる。
【００８８】
また、図８の結果から、実施例３のように表面シート２に綿繊維のシートを使用した場合、表面シート２の光沢度を下げられることが分かった。そこで、表面シート２は、表面シート２の全質量に対して５０質量％以上の綿繊維を含むことが好ましい。
【００８９】
そうすることで、表面シート２の光沢度を下げることができ、ナプキン１は衛生用品らしい自然な印象、清潔感のある印象となる。よって、ユーザーに安心してナプキン１を使用してもらうことができる。また、前述したように、表面シート２に天然繊維である綿を用いることで、着用者の肌への刺激を軽減し、着用者の肌に痒みやかぶれ等が起こる恐れを軽減できる。
【００９０】
なお、表面シート２における綿繊維の比率の確認は周知の方法で行うとよい。例えば、ＪＩＳ  Ｌ  １０３２‐２の繊維混用率試験を準用して測定できる。例えば、綿繊維と合成繊維からなる表面シート２の場合、７０％の濃度硫酸を用いて、綿繊維を溶解する溶解法にて、綿繊維の比率を確認できる。その他、顕微鏡法により確認してもよい。
【００９１】
また、ナプキン１の非肌側面の半分以上の面積の領域が白色であり、包装材３０も白色であることが好ましい。そうすることで、ナプキン１が包装材３０を透かして吸収性物品包装体４０の外側から視認され難くなる。そのため、主要メタリック図柄５１、５２による吸収性物品包装体４０らしくない外観が軽減されてしまうことを防止できる。
【００９２】
なお、白色とは、真っ白（例えばＬａｂ色空間におけるＬ＝１００、ａ＝０、ｂ＝０）に限定されず、白味がかった色（例えばＬ＝７０以上、ａ＝５以下、ｂ＝５以下）も含まれるものとする。各部材の色は、測色器を用いた測色結果（Ｌａｂ値）により取得できる。
【００９３】
また、図２に示すように、ナプキン１の非肌側面に白色以外の色で印刷された図柄５５が設けられている場合がある。その場合、白色である領域の面積比率の確認方法として、例えば、目視による確認方法や、面積算出プログラムを用いて図柄５５の配置面積と非配置面積とを算出して確認する方法を例示できる。ただし、上記に限定されず、ナプキン１の非肌側面の主要色、及び、包装材３０の色が、白以外の色であってもよい。
【００９４】
また、吸収性物品包装体４０の開封面４０Ａ（第２面）、すなわち、包装材３０の開封端３０ａ及び止着テープ３１が設けられた面にも、吸収性物品包装体４０の反開封面４０Ｂ（第１面）にも、最高光沢度が粘着部配置領域Ａ１、Ａ２の最低光沢度以上である主要メタリック図柄５１、５２（第１図柄、第２図柄）が設けられていることが好ましい。
【００９５】
そうすることで、ユーザーは主要メタリック図柄５１、５２を２回視認しやすくなる。そのため、刷り込み効果により、主要メタリック図柄５１、５２がユーザーの印象に残りやすくなる。よって、主要メタリック図柄５１、５２から想起されるナプキン１の高級感がユーザーに認識されやすくなる。
【００９６】
さらに、上記２つの主要メタリック図柄５１、５２の面積は、止着テープ３１の面積よりも大きいことが好ましい。そうすることで、２つの主要メタリック図柄５１、５２が目立ち、ユーザーに着目されやすくなり、ユーザーの印象に残りやすくなる。よって、主要メタリック図柄５１、５２から想起されるナプキン１の高級感がユーザーに認識されやすくなる。
【００９７】
ただし、上記に限定されず、吸収性物品包装体４０の開封面４０Ａと反開封面４０Ｂの片方にのみ主要メタリック図柄５１、５２が設けられていてもよい。また、開封面４０Ａの主要メタリック図柄５２と反開封面４０Ｂの主要メタリック図柄５１の少なくとも一方が、止着テープ３１よりも小さくてもよい。
【００９８】
また、図６に示すように、吸収性物品包装体４０は、開封端３０ａが展開された状態で視認可能な内部メタリック図柄５３（内部図柄）を有し、内部メタリック図柄５３の最高光沢度は、粘着部配置領域Ａ１、Ａ２の最低光沢度以上であることが好ましい。すなわち、内部メタリック図柄５３もメタリックインクにより印刷された図柄であるとよい。
【００９９】
そうすることで、ユーザーは、吸収性物品包装体４０の展開前も展開後も、光沢度の高い図柄５１〜５３を視認することになる。そのため、刷り込み効果により、主要メタリック図柄５１、５２及び内部メタリック図柄５３がユーザーの印象に残りやすくなる。よって、主要メタリック図柄５１、５２及び内部メタリック図柄５３から想起されるナプキン１の高級感がユーザーに認識されやすくなる。
【０１００】
特に、内部メタリック図柄５３は、図６に示すように、止着テープ３１が止着される包装材３０の位置Ａ３に設けられているとよい。この場合、ユーザーが止着テープ３１を剥がす際に内部メタリック図柄５３が視認される。よって、内部メタリック図柄５３はユーザーに着目されやすく、ユーザーの印象に残りやすくなる。
【０１０１】
また、吸収性物品包装体４０の開封面４０Ａの主要メタリック図柄５２（図５Ａ）の面積は、反開封面４０Ｂの主要メタリック図柄５１（図５Ｂ）の面積よりも小さく、内部メタリック図柄５３の面積（図６）は、開封面４０Ａの主要メタリック図柄５２の面積よりも小さいことが好ましい。
【０１０２】
ユーザーが吸収性物品包装体４０を開封する際に視認される図柄の順番は、反開封面４０Ｂの主要メタリック図柄５１、開封面４０Ａの主要メタリック図柄５２、内部メタリック図柄５３の順番となる。そのため、上記の面積関係にすることで、ユーザーに視認されるメタリック図柄５１〜５３の面積を徐々に小さくすることができ、ユーザーの意識がメタリック図柄５１〜５３からナプキン１に移りやすくなる。そのため、ナプキン１の低い光沢度から想起される清潔感がユーザーの印象に残りやすくなる。
【０１０３】
ただし、上記に限定されず、例えば包装材３０は内部メタリック図柄５３を有さなくてもよい。また、メタリック図柄５１〜５３の面積関係も上記に限定されない。
【０１０４】
また、メタリック図柄５１〜５３や止着テープ３１の面積の比較は、周知の方法で行うとよい。例えば、目視により比較するとよい。また、図４に示すように、メタリック図柄５１〜５３の幅方向の両端を通る長手方向に沿う線と、メタリック図柄５１〜５３の長手方向の両端を通る幅方向に沿う線とで囲まれる矩形領域Ｒ１〜Ｒ３の面積を算出して比較してもよい。その他、面積算出プログラムを利用して、メタリック図柄５１〜５３の輪郭に沿う面積を算出して比較してもよい。
【０１０５】
また、図９に示すように、幅方向において、主要メタリック図柄５１、５２の幅ｗ１は、包装材３０に包装されている状態（すなわち折り畳まれてい状態）のナプキン１の幅ｗ２以下（ｗ１≦ｗ２）であることが好ましい。
【０１０６】
そうすることで、包装材３０の内側のナプキン１上の平坦な部分に、主要メタリック図柄５１、５２を配置でき、主要メタリック図柄５１、５２の視認性が高まる。また、ナプキン１（バックシート４）の主要色が白色である場合、吸収性物品包装体４０においてナプキン１が配置されている部分の白色の濃度が高くなる。そのため、主要メタリック図柄５１、５２の視認性がより高まる。よって、主要メタリック図柄５１、５２がユーザーの印象に残りやすく、主要メタリック図柄５１、５２から想起されるナプキン１の高級感が、ユーザーに認識されやすくなる。
【０１０７】
また、図４に示すように、吸収性物品包装体４０（包装材３０）は、その外側から視認可能な背景図柄５４ａ、５４ｂを有していてもよい。背景図柄５４ａ、５４ｂは、比較的に小さい複数の図柄が規則的に又は不規則に並んだ図柄である。この背景図柄５４ａ、５４ｂの最高光沢度も、粘着部配置領域Ａ１、Ａ２の最低光沢度以上であることが好ましい。すなわち、背景図柄５４ａ、５４ｂもメタリックインクにより印刷されたメタリック図柄であるとよい。
【０１０８】
そうすることで、ユーザーは、吸収性物品包装体４０の外側から、より多くの数のメタリック図柄５１、５２、５４ａ、５４ｂを視認することになる。そのため、メタリック図柄５１、５２、５４ａ、５４ｂがユーザーの印象に残りやすく、メタリック図柄５１、５２、５４ａ、５４ｂから想起されるナプキン１の高級感がユーザーに認識されやすくなる。
【０１０９】
さらに、図９に示すように、幅方向において、吸収性物品包装体４０の接合部４１とナプキン１との間に、背景図柄５４ａが配置されていることが好ましい。なお、接合部４１とナプキン１の間に、背景図柄５４ａ、５４の少なくとも一部分が配置されていればよい。
【０１１０】
折り畳まれたナプキン１は厚みを有する。そのため、吸収性物品包装体４０において、接合部４１とナプキン１との間に傾斜部が形成される。その傾斜部に背景図柄５４ａ、５４ｂが設けられることで、主要メタリック図柄５１、５２に立体感が生じる。よって、主要メタリック図柄５１、５２を視認したユーザーは、ナプキン１が高級感のある商品であるという印象をより受けやすくなる。
【０１１１】
ただし、上記に限定されない。例えば、主要メタリック図柄５１、５２の幅がナプキン１の幅よりも大きくてもよい。また、吸収性物品包装体４０は背景図柄５４ａ、５４ｂを有さなくてもよい。
【０１１２】
＝＝＝吸収性物品包装体４０のパッケージ６０について＝＝＝
図１０Ａは、吸収性物品包装体４０のパッケージ６０の斜視図である。図１０Ｂ及び図１０Ｃは、パッケージ６０が有する吸収性物品包装体４０Ａ、４０Ｂの主要メタリック図柄５１Ａ、５１Ｂの説明図である。
【０１１３】
パッケージ６０（袋部材）は、複数個の吸収性物品包装体４０を内包する。図１０Ａに示すパッケージ６０は略直方体形状であり、パッケージ６０の蓋部材６０Ａを開くことにより、パッケージ６０から吸収性物品包装体４０を取り出し可能となっている。なお、図１０Ａに示すパッケージ６０の形状は一例であり、これに限定されない。
【０１１４】
そして、パッケージ６０は、前述の主要メタリック図柄５１、５２を有する吸収性物品包装体４０を複数内包し、その主要メタリック図柄５１、５２の最高光沢度が異なる複数種類の吸収性物品包装体４０を内包することが好ましい。
【０１１５】
主要メタリック図柄５１、５２の最高光沢度を異ならせるためには、例えば、同じ形状の図柄であっても、色を異ならせるとよい。例えば、図１０Ｂに示すように、ある吸収性物品包装体４０Ａの主要メタリック図柄５１Ａは、黄色のメタリックインクで印刷され、図１０Ｃに示すように、別の吸収性物品包装体４０Ｂの主要メタリック図柄５１Ｂは、黄色と異なる色（例えばピンク色や銀色）のメタリックインクで印刷されているとよい。その他、同じ色のメタリックインクで印刷する場合にも、図柄の形状（メタリックインクによる塗りつぶし面積）を変えることで、最高光沢度を異ならせることができる。
【０１１６】
このように、パッケージ６０内に複数種類の吸収性物品包装体４０が内包されていることで、例えばパッケージ内の吸収性物品包装体の図柄や色が全て同じである場合に比べて、ユーザーは高級感のある商品である印象を受けやすくなる。また、ユーザーは、飽きることなく吸収性物品包装体４０を使用でき、何れの吸収性物品包装体４０を使用するかを選択する楽しみが増える。そのため、生理期等の憂鬱な気分を軽減できる。
【０１１７】
また、図１０Ａに示すように、ユーザーに高級感を想起させる図柄６１（例えば王冠を表した図柄）や文字６２（例えば「高級感」）を、パッケージ６０に設けてもよい。
【０１１８】
そうすることで、パッケージ６０を見たユーザーは、パッケージ６０内のナプキン１が高級感のある商品であることを認識しやすくなる。また、パッケージ６０の図柄６１や文字６２を見たユーザーの潜在意識には、ナプキン１に対する高級感の印象が刷り込まれる。そのため、吸収性物品包装体４０を使用する際に、主要メタリック図柄５１、５２を見たユーザーは、ナプキン１に対する高級感の印象を再認識し、ユーザーの印象に残りやすくなる。そのため、ユーザーに安心してナプキン１を使用してもらうことができる。
【０１１９】
さらに、高級感を想起させる図柄６１や文字６２がメタリックインクで印刷されているとよい。そうすることで、きらきらと輝く図柄６１や文字６２を見たユーザーは、ナプキン１が高級感のある商品であることをより一層認識しやすくなる。
【０１２０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１２１】
１  ナプキン（吸収性物品）、１ｗ  ウィング部、
２  表面シート、３  中間シート、４  バックシート、
５  ウィングシート、６  サイドシート、
８  中央粘着部（ずれ止め用の粘着部）、
９  ウィング粘着部（ずれ止め用の粘着部）、
Ａ１、Ａ２  粘着部配置領域、
１０  吸収体、１１  吸収性コア、１２  カバーシート、
２０  線状圧縮凹部、２１  点状圧縮凹部、
３０  包装材、３０ａ  開封端、３１  止着テープ、
４０  吸収性物品包装体、４１  接合部、４２  剥離シート、
５１  主要メタリック図柄（図柄、第１図柄）、
５２  主要メタリック図柄（図柄、第２図柄）、
５３  内部メタリック図柄（内部図柄）、
５４ａ、５４ｂ  背景図柄、
６０  パッケージ、
６１  図柄、６２  文字、
【図１】
2020095764.tif 000003
【図２】
2020095764.tif 000004
【図３】
2020095764.tif 000005
【図４】
2020095764.tif 000006
【図５】
2020095764.tif 000007
【図６】
2020095764.tif 000008
【図７】
2020095764.tif 000009
【図８】
2020095764.tif 000010
【図９】
2020095764.tif 000011
【図１０】
2020095764.tif 000012
【国際調査報告】
2020095764.tif 000013
2020095764.tif 000014
2020095764.tif 000015
2020095764.tif 000016